(57)【特許請求の範囲】
【請求項１】
内部に複数の釣り糸スプール５…を収納可能な短円筒形の袋本体１を備え、該袋本体１の周縁部１ａに開閉可能な帯状蓋部２が設けられ、該蓋部２には複数の糸導出孔３…と該糸導出孔３…の近傍に配設される糸係止部４とが設けられたことを特徴とする釣り糸スプール保持袋。
【請求項２】
袋本体１に収納される複数の釣り糸スプール５…の相互間に低摩擦材から成る仕切り板１６が配設された請求項１記載の釣り糸スプール保持袋。
【発明の詳細な説明】
【０００１】
【発明の属する技術分野】
本発明は、釣り糸スプール保持袋に関する。
【０００２】
【従来の技術】
従来、複数（種類）の釣り糸スプールを一度に大きなバッグや箱に投げ入れて、各スプールをバラバラで保持していた。
【０００３】
【発明が解決しようとする課題】
しかしながら、複数のスプールをバラバラで保持していると、スプールの釣り糸が拡散（拡径）して取り扱いが不便となり、また、所望の（種類の）スプールを見つけ難く、船上等に於て釣り糸を迅速に所望の長さだけ引き出すことができなかった。
【０００４】
そこで、本発明は、釣り糸スプールを、整然と、かつ、容易に収納することができると共に、例えば、８号〜２０号等の大径の釣り糸（特に、ショックリーダーやハリスと呼ばれる弾発力の大なる釣り糸）を拡散させずに、迅速に所望の釣り糸を引き出すことができる釣り糸スプール保持袋を提供することを目的とする。
【０００５】
【課題を解決するための手段】
上述の目的を達成するために、本発明に係る釣り糸スプール保持袋は、内部に複数の釣り糸スプールを収納可能な短円筒形の袋本体を備え、該袋本体の周縁部に開閉可能な帯状蓋部が設けられ、該蓋部には複数の糸導出孔と該糸導出孔の近傍に配設される糸係止部とが設けられたものである。
【０００６】
また、袋本体に収納される複数の釣り糸スプールの相互間に低摩擦材から成る仕切り板が配設されたものである。
【０００７】
【発明の実施の形態】
以下、実施の形態を示す図面に基づき、本発明を詳説する。
【０００８】
本発明に係る釣り糸スプール保持袋Ｂは、図１の蓋閉状態と図２の蓋開状態に示すように、内部に複数（本実施の形態では３つ）の釣り糸スプール５…を収納可能な短円筒形の袋本体１を備え、該袋本体１の周縁部１ａに開閉可能な帯状蓋部２が設けられ、該蓋部２には複数（本実施の形態では３つ）の糸導出孔３…と該糸導出孔３…の近傍に配設される複数（本実施の形態では３つ）の糸係止部４…とが設けられている。
【０００９】
釣り糸スプール５は、図３に示すように、周溝を有する円盤形の枠本体７と、枠本体７の周溝に巻設される（ハリスなどの）釣り糸６とから成り、複数の釣り糸スプール５…は、釣り糸６の号数が異種（若しくは同種）となる。
【００１０】
短円筒形の袋本体１は、防水性を有するビニール製で、（円形の）一端面には（小物を入れるための）ポケット部８が設けられ、一端面と他端面には把手部９が橋絡されている。なお、袋本体１の端面の外径は、釣り糸スプール５の枠本体７の外径よりも若干大きく設定され、また、袋本体１の一端面と他端面の間の（軸心方向の）長さ（幅）は、袋本体１の内部に（軸心方向に）並設状に収納される釣り糸スプール５…の数量により決定される。
【００１１】
袋本体１の周縁部１ａには、釣り糸スプール５を出し入れするための帯状の開口部１０が設けられると共に、その開口部１０を被覆乃至露出する帯状蓋部２が設けられている。
【００１２】
蓋部２の基端は、開口部１０に隣接するように袋本体１の周縁部１ａに取り付けられ（縫合され）、蓋部２の先端は、（例えば、面状ファスナーなどの）係止部材１１，１１を介して、袋本体１の周縁部１ａに着脱自在となる。要するに、蓋部２は、袋本体１の開口部１０を開閉自在とする。
【００１３】
蓋部２の基端側には、糸導出孔３…が（軸心方向に並設状に）貫設され、糸導出孔３は、例えば、パンチ（カシメ具）にて取り付けられるリング部材にて形成される。また、蓋部２の外面（表面）には、糸導出孔３よりも蓋部２の先端側に、糸係止部４…が（軸心方向に並設状に）取り付けられている。なお、開口部１０に接する側を蓋部２の内面（裏面）とする。また、糸導出孔３及び糸係止部４の数量は、収納される釣り糸スプール５…の数量と同一となる。
【００１４】
糸係止部４は、図１と図５に示すように、蓋部２の外面に（幅方向に）縫合される（発砲ウレタンなどの）帯状スポンジ基盤部１２と、環状の小円盤スポンジ部１３と、（プラスチックなどの）環状の小円盤押え部１４と、スポンジ基盤部１２と小円盤スポンジ部１３と小円盤押え部１４とを挿通してサンドウィッチ状に挾持する係止ピン１５と、を備えている。なお、全ての糸係止部４…に於て、スポンジ基盤部１２は共通部材となる。
【００１５】
次に、本保持袋Ｂに釣り糸スプール５を保持する方法、及び、本保持袋Ｂの作用（機能）について説明する。
【００１６】
まず、蓋部２を開状態（図２参照）として、開口部１０から（１つの）釣り糸スプール５を本保持袋Ｂに入れる。そして、釣り糸スプール５の釣り糸６の先端を、図５に示すように、糸導出孔３に挿通して蓋部２の内面側から外面側へ導く。なお、糸導出孔３が蓋部２の基端側に設けられているため、釣り糸６を糸導出孔３に挿通し易い。
【００１７】
そして、釣り糸６を所定長さ引き出してから、図６（イ）の横断面図及び図６（ロ）の平面図に示すように、引き出された釣り糸６の中途部を、スポンジ基盤部１２に接触させると共に小円盤スポンジ部１３に巻き付け状に引っ掛けて、釣り糸６の先端を糸導出孔３側へ折り返す。
【００１８】
それから、釣り糸６の先端を引っ張ることで、図７（イ）の横断面図及び図７（ロ）の平面図に示すように、釣り糸６の中途部を、スポンジ基盤部１２と小円盤スポンジ部１３との間に入れ込むと共に係止ピン１５の軸棒１５ａに巻き付け状に引っ掛けて、釣り糸６の先端側を糸係止部４に係止する。なお、この際、スポンジ基盤部１２及び小円盤スポンジ部１３の弾性変形により、釣り糸６の差込を容易にすると共に、スポンジ基盤部１２及び小円盤スポンジ部１３の弾発力により、釣り糸６を確実に挾持して釣り糸６を抜け止めできる。
【００１９】
その後、他の（２つの）釣り糸スプール５…も同様に１つずつ本保持袋Ｂに入れて釣り糸６の先端を糸係止部４に引っ掛けていき、蓋部２を閉状態（図１参照）として、全ての釣り糸スプール５…を本保持袋Ｂに収納する。なお、先に全ての釣り糸スプール５…を本保持袋Ｂに入れてから釣り糸６の先端側を糸係止部４に引っ掛けるようにしてもよい。
【００２０】
ここで、図４に示すように、本保持袋Ｂ（袋本体１）に収納される複数の釣り糸スプール５…の相互間及び両端に（プラスチックなどの）低摩擦材から成る仕切り板１６が配設されている。即ち、本保持袋Ｂに、釣り糸スプール５…を収納すると共に仕切り板１６…を収納する。仕切り板１６は、図３と図４に示すように、釣り糸スプール５の外径よりも若干小さい円板であり、本保持袋Ｂの（端面）内面や釣り糸スプール５に当接する仕切り板１６の両面は滑り易くなっている。
【００２１】
このように、釣り糸スプール５…を本保持袋Ｂに保持することで、複数種の釣り糸スプール５…を一度に持ち運ぶことができ、釣り糸６を拡散させずに取り扱いが便利となる。
【００２２】
次に、本保持袋Ｂに収納された釣り糸スプール５から釣り糸６を引き出す方法を説明すると、図１に示す釣り糸係止状態から、所望の釣り糸スプール５の釣り糸６の先端側を、糸係止部４から離脱させて所望の長さだけ引き出す。この際、釣り糸６が引き出される釣り糸スプール５は回転するが、仕切り板１６が介在しているため、隣接する釣り糸スプール５は連れ回りしない。また、引き出される釣り糸スプール５が端にある場合、仕切り板１６が介在しているため、本保持袋Ｂの（端面）内面への引っ掛かりを防止して釣り糸スプール５を円滑に回転させることができ、釣り糸６をスムースに引き出すことができる。
【００２３】
なお、図例のように、糸導出孔３…を帯状蓋部２の基端側に設けることにより、帯状蓋部２の開閉作動時に釣り糸６…がほとんど動かず───釣り糸スプール５から引き出されたり、逆に、たるんだりせず───好都合である。
【００２４】
なお、本発明は、上述の実施の形態に限定されず、例えば、糸導出孔３及び糸係止部４及び収納される釣り糸スプール５の数量は３つに限定されず、また、糸導出孔３（糸係止部４）を蓋部２の中間部や先端側に設けてもよく、さらに、収納される複数の釣り糸スプール５…の相互間にのみ仕切り板１６を配設してもよく、本発明の要旨を逸脱しない範囲で設計変更可能である。
【００２５】
【発明の効果】
本発明は上述の如く構成されるので、次に記載する効果を奏する。
【００２６】
（請求項１によれば、）複数の釣り糸スプール５…を容易に収納（取出）できると共に、例えば、釣り糸６の号数が相互に異なる複数種の釣り糸スプール５…を一度に持ち運ぶことができて便利である。また、袋本体１の周縁部１ａが開閉可能となるため、収納した釣り糸スプール５から釣り糸６の先端を引き出して糸導出孔３へ挿通し易くなる。さらに、釣り糸６の先端側を糸導出孔３に挿通して糸係止部４に係止できるため、釣り糸６が拡散せずに、使い勝手が良くなる。このように、本保持袋を使用することにより、必要な（号数の）釣り糸６を、必要な長さだけ迅速に引き出すことができる。特に、ショックリーダー又はハリス等と呼ばれる弾発力が大きく、かつ、８号〜２０号等の太い釣り糸６に好適である。
【００２７】
（請求項２によれば、）袋本体１に収納される複数の釣り糸スプール５…の相互間に低摩擦材から成る仕切り板１６が配設されているため、釣り糸６を引出中の釣り糸スプール５が独立回転して、隣接する釣り糸スプール５は連れ回りせず、隣接の釣り糸スプール５から不要な釣り糸６が出てこない。
【図面の簡単な説明】
【図１】本発明の実施の一形態を示す斜視図である。
【図２】蓋部の開状態を示す斜視図である。
【図３】釣り糸スプール及び仕切り板を示す斜視図である。
【図４】釣り糸スプール及び仕切り板の収納状態を示す正面図である。
【図５】要部横断面図である。
【図６】要部構成説明図である。
【図７】要部構成説明図である。
【符号の説明】
１  袋本体
１ａ  周縁部
２  蓋部
３  糸導出孔
４  糸係止部
５  釣り糸スプール
１６  仕切り板
【図１】
0003621893.tif 000002
【図２】
0003621893.tif 000003
【図３】
0003621893.tif 000004
【図４】
0003621893.tif 000005
【図５】
0003621893.tif 000006
【図６】
0003621893.tif 000007
【図７】
0003621893.tif 000008